(57)【特許請求の範囲】
【請求項１】
第１電極を有する半導体と、
複数の第２電極を有する回路基板と、
第１電極上に形成されたはんだバンプと、
はんだバンプと第２電極との間に配置され、はんだバンプを通じて第１電極と第２電極とを電気的に接続し、はんだバンプの融点より低い融点を有するはんだ材料により形成された接合部材と、
少なくとも、はんだバンプと接合部材との接合界面の周囲と、接合部材の周囲とを覆うように、個々の接合部材の周囲に配置された樹脂部材とを備え、
それぞれの樹脂部材は、隣接する樹脂部材同士が、互いに離間して配置されているとともに、半導体と接触せず配置されており、
回路基板上における隣接する第２電極間に、個々の樹脂部材同士の接触を防止する空間が形成されている、半導体実装構造体。
【請求項２】
樹脂部材は、はんだバンプと接合部材との接合界面を個別に覆い、それぞれが独立して回路基板に配置されている、請求項１に記載の半導体実装構造体。
【請求項３】
樹脂部材は、熱硬化性樹脂であり、その硬化温度は、はんだ材料の固化温度と同じである、請求項１または２に記載の半導体実装構造体。
【請求項４】
接合部材は、はんだバンプを形成するはんだ材料の融点よりも２０℃以上低い融点の合金材料により形成されている、請求項１から３のいずれか１つに記載の半導体実装構造体。
【請求項５】
第１電極と第２電極との間の距離Ｄに対する樹脂部材の高さＨの比率（Ｈ１／Ｄ）が、１５％以上である、請求項１から４のいずれか１つに記載の半導体実装構造体。
【請求項６】
回路基板上における隣接する第２電極間に、個々の樹脂部材同士の接触を防止する突起部が形成されている、請求項１から５のいずれか１つに記載の半導体実装構造体。
【請求項７】
個々の接合部材は、その外周面が環状の湾曲凹面形状となるように形成され、
少なくとも、接合部材の湾曲凹面全体に樹脂部材が充填されるように、接合部材の周囲に樹脂部材が配置されている、請求項１から６のいずれか１つに記載の半導体実装構造体。
【請求項８】
半導体と回路基板との間において、それぞれの第１電極、第２電極、はんだバンプおよび樹脂部材を覆うように、別の樹脂材料が配置されている、請求項１から７のいずれか１つに記載の半導体実装構造体。
【請求項９】
接合部材のはんだ材料は、Ｓｎと、Ｂｉ、Ｉｎ、ＡｇおよびＣｕの群から選ばれる２種若しくはそれ以上の元素との組み合わせからなる合金組成のはんだ材料である、請求項１から８のいずれか１つに記載の半導体実装構造体。
【請求項１０】
はんだバンプは、Ｓｎ−Ａｇ−Ｃｕ系のはんだ材料であり、
はんだ材料は、Ｓｎ−Ｂｉ系のはんだ材料である、請求項１から９のいずれか１つに記載の半導体実装構造体。
【請求項１１】
回路基板上の第２電極上に、樹脂材料とはんだ材料とを含む混合ペーストを塗布し、
半導体の第１電極上に形成され、かつ、はんだ材料の融点より高い融点を有するはんだバンプを、混合ペーストを介して回路基板の第２電極上に配置し、
混合ペーストを加熱することで、樹脂材料とはんだ材料とを分離させ、はんだ材料およびはんだバンプを介して、第１電極と第２電極とを電気的に接続するとともに、少なくとも、はんだバンプとはんだ材料との接合界面およびはんだ材料を覆うように、個々のはんだ材料の周囲に樹脂材料を配置させるとともに、回路基板上における隣接する第２電極間に、個々の樹脂材料同士の接触を防止する空間を形成する、半導体実装構造体の製造方法。
【請求項１２】
回路基板上の第２電極上に、ペースト状のはんだ材料を塗布し、
半導体の第１電極上に形成され、かつ、はんだ材料の融点より高い融点を有するはんだバンプ上に、樹脂材料を塗布し、
半導体のはんだバンプ上の樹脂材料を、回路基板のはんだ材料上に配置し、
樹脂材料およびはんだ材料を加熱することで、はんだ材料およびはんだバンプを介して、第１電極と第２電極とを電気的に接続するとともに、少なくとも、はんだバンプとはんだ材料との接合界面およびはんだ材料を覆うように、個々のはんだ材料の周囲に樹脂材料を配置させるとともに、回路基板上における隣接する第２電極間に、個々の樹脂材料同士の接触を防止する空間を形成する、半導体実装構造体の製造方法。
【発明の詳細な説明】
【技術分野】
【０００１】
本発明は、半導体チップ（半導体素子）や半導体パッケージなどの半導体を、回路基板上に電気的に接続する半導体の実装構造体およびその製造方法に関する。
【背景技術】
【０００２】
携帯電話やＰＤＡ（Ｐｅｒｓｏｎａｌ  Ｄｉｇｉｔａｌ  Ａｓｓｉｓｔａｎｔ）等のモバイル機器の小型化、高機能化が進んでおり、これに対応できる実装技術として、ＢＧＡ（Ｂａｌｌ  Ｇｒｉｄ  Ａｒｒａｙ）やＣＳＰ（Ｃｈｉｐ  Ｓｃａｌｅ  Ｐａｃｋａｇｅ）などの実装構造が多く用いられている。モバイル機器は落下衝撃などの機械的負荷にさらされやすい。そのため、ＱＦＰ（Ｑｕａｄ  Ｆｌａｔ  Ｐａｃｋａｇｅ）のリードのように衝撃を緩和する機構を持たないＢＧＡやＣＳＰなどの実装構造では、はんだ接続部の耐衝撃信頼性を確保することが重要である。
【０００３】
このため、例えばＢＧＡ型半導体パッケージと電子回路基板とをはんだ接続する際、アンダーフィルによる封止補強のように、はんだ付け後にＢＧＡ型半導体パッケージと電子回路基板との隙間に補強樹脂材料を充填して、ＢＧＡ型半導体パッケージと電子回路基板とを固着させることにより、熱や機械衝撃による応力を緩和して、接合部の耐衝撃信頼性を高める手法がこれまで用いられている。従来から使用されているアンダーフィル封止剤としては、主に加熱硬化型のエポキシ樹脂が主に使用されている（特許文献１、２、３参照）。
【０００４】
また、近年、世界的な環境問題の関心の高まりから、従来から用いられてきたＰｂ（鉛）を含まないＰｂフリーはんだの実用化が進んでいる。現在では、このＰｂフリーはんだのうち、比較的濡れ性がよい、接続信頼性が高いなどのメリットを持つＳｎ−Ａｇ−Ｃｕ系のはんだが多く採用されている。また、Ｓｎ−Ａｇ−Ｃｕ系はんだの他、Ｓｎ−Ａｇ−Ｃｕ系はんだのように融点が高いというデメリットを無くしたＳｎ−Ｚｎ系、Ｓｎ−Ａｇ−Ｉｎ系、Ｓｎ−Ｂｉ系等の低融点Ｐｂフリーはんだが使用され始めている。ところが、Ｓｎ−Ｚｎ系、Ｓｎ−Ａｇ−Ｉｎ系、Ｓｎ−Ｂｉ系はんだを用いたＢＧＡ接続に対してそのはんだ接続部の接続信頼性はまだ明確でない。
【先行技術文献】
【特許文献】
【０００５】
【特許文献１】特開平１０−１０１９０６号公報
【特許文献２】特開平１０−１５８３６６号公報
【特許文献３】特開平１０−２０４２５９号公報
【発明の概要】
【発明が解決しようとする課題】
【０００６】
しかしながら、特許文献１、２に示すようなアンダーフィル封止による補強構造では、ＢＧＡ型半導体パッケージと回路基板とを補強樹脂材料により完全に固着させるような構造が採用されている。そのため、ＢＧＡ型半導体パッケージ内の不良や、ＢＧＡ型半導体パッケージと回路基板との接続不良が発生した場合（あるいは事後的に発覚した場合）、補強樹脂材料による固着を解除して、ＢＧＡ型半導体パッケージと回路基板とを分離させることが容易にできず、ＢＧＡ型半導体パッケージを交換することが極めて困難であるという問題がある。すなわち、補強樹脂材料としては熱硬化性樹脂が用いられているため、ＢＧＡ型半導体パッケージ部品の耐熱温度内では、熱硬化性樹脂である補強樹脂材料を十分に溶融させることができず、補強樹脂を剥がすことが容易にできない。
【０００７】
そこで、前述したような問題点を改良したリペア性（すなわち、ＢＧＡ型半導体パッケージと回路基板との分離によるＢＧＡ型半導体パッケージの交換性）を付与された接着剤を用いることが特許文献３のように提案されている。特許文献３では、このような良好なリペア性を有する接着剤として、一液性または二液性エポキシ樹脂に可塑剤を添加することによって、短時間の熱硬化が可能で、かつ、ＣＳＰやＢＧＡ等の半導体を配線基板に接続でき、耐ヒートショック性に優れ、かつ不良が発見されたときに、容易に、ＣＳＰやＢＧＡを取り外すことが可能なアンダーフィル封止用熱硬化性樹脂組成物が記載されている。
【０００８】
しかしながら、特許文献３に開示されているこのような方法では可塑剤を用いることが必須条件となるため、樹脂強度、すなわち、耐久性や耐熱性、耐ヒートサイクル性が低下し、硬化物中からの可塑剤のブリードによって周囲を汚染するという問題点がある。
【０００９】
従って、本発明の目的は、上記問題を解決することにあって、半導体チップや半導体パッケージなどの半導体を、回路基板上に電気的に接続する半導体の実装構造体において、接続部の耐衝撃信頼性を高めるとともに、半導体実装構造体のリペアを容易に行うことができる半導体実装構造体およびその製造方法を提供することにある。
【課題を解決するための手段】
【００１０】
上記目的を達成するために、本発明は以下のように構成する。
【００１１】
本発明の第１態様によれば、第１電極を有する半導体と、複数の第２電極を有する回路基板と、第１電極上に形成されたはんだバンプと、はんだバンプと第２電極との間に配置され、はんだバンプを通じて第１電極と第２電極とを電気的に接続し、はんだバンプの融点より低い融点を有するはんだ材料により形成された接合部材と、少なくとも、はんだバンプと接合部材との接合界面の周囲と、接合部材の周囲とを覆うように、個々の接合部材の周囲に配置された樹脂部材とを備え、それぞれの樹脂部材は、隣接する樹脂部材同士が、互いに離間して配置されているとともに、半導体と接触せず配置されており、回路基板上における隣接する第２電極間に、個々の樹脂部材同士の接触を防止する空間が形成されている、半導体実装構造体を提供する。
【００１２】
本発明の第２態様によれば、樹脂部材は、はんだバンプと接合部材との接合界面を個別に覆い、それぞれが独立して回路基板に配置されている、第１態様に記載の半導体実装構造体を提供する。
【００１３】
本発明の第３態様によれば、樹脂部材は、熱硬化性樹脂であり、その硬化温度は、はんだ材料の固化温度と同じである、第１態様または第２態様に記載の半導体実装構造体を提供する。
【００１４】
本発明の第４態様によれば、接合部材は、はんだバンプを形成するはんだ材料の融点よりも２０℃以上低い融点の合金材料により形成されている、第１態様から第３態様のいずれか１つに記載の半導体実装構造体を提供する。
【００１５】
本発明の第５態様によれば、第１電極と第２電極との間の距離Ｄに対する樹脂部材の高さＨの比率（Ｈ１／Ｄ）が、１５％以上である、第１態様から第４態様のいずれか１つに記載の半導体実装構造体を提供する。
【００１６】
本発明の第６態様によれば、回路基板上における隣接する第２電極間に、個々の樹脂部材同士の接触を防止する突起部が形成されている、第１態様から第５態様のいずれか１つに記載の半導体実装構造体を提供する。
【００１７】
本発明の第７態様によれば、個々の接合部材は、その外周面が環状の湾曲凹面形状となるように形成され、少なくとも、接合部材の湾曲凹面全体に樹脂部材が充填されるように、接合部材の周囲に樹脂部材が配置されている、第１態様から第６態様のいずれか１つに記載の半導体実装構造体を提供する。
【００１８】
本発明の第８態様によれば、半導体と回路基板との間において、それぞれの第１電極、第２電極、はんだバンプおよび樹脂部材を覆うように、別の樹脂材料が配置されている、第１態様から第７態様のいずれか１つに記載の半導体実装構造体を提供する。
【００１９】
本発明の第９態様によれば、接合部材のはんだ材料は、Ｓｎと、Ｂｉ、Ｉｎ、ＡｇおよびＣｕの群から選ばれる２種若しくはそれ以上の元素との組み合わせからなる合金組成のはんだ材料である、第１態様から第８態様のいずれか１つに記載の半導体実装構造体を提供する。
【００２０】
本発明の第１０態様によれば、はんだバンプは、Ｓｎ−Ａｇ−Ｃｕ系のはんだ材料であり、はんだ材料は、Ｓｎ−Ｂｉ系のはんだ材料である、第１態様から第９態様のいずれか１つに記載の半導体実装構造体を提供する。
【００２１】
本発明の第１１態様によれば、回路基板上の第２電極上に、樹脂材料とはんだ材料とを含む混合ペーストを塗布し、半導体の第１電極上に形成され、かつ、はんだ材料の融点より高い融点を有するはんだバンプを、混合ペーストを介して回路基板の第２電極上に配置し、混合ペーストを加熱することで、樹脂材料とはんだ材料とを分離させ、はんだ材料およびはんだバンプを介して、第１電極と第２電極とを電気的に接続するとともに、少なくとも、はんだバンプとはんだ材料との接合界面およびはんだ材料を覆うように、個々のはんだ材料の周囲に樹脂材料を配置させるとともに、回路基板上における隣接する第２電極間に、個々の樹脂材料同士の接触を防止する空間を形成する、半導体実装構造体の製造方法を提供する。
【００２２】
本発明の第１２態様によれば、回路基板上の第２電極上に、ペースト状のはんだ材料を塗布し、半導体の第１電極上に形成され、かつ、はんだ材料の融点より高い融点を有するはんだバンプ上に、樹脂材料を塗布し、半導体のはんだバンプ上の樹脂材料を、回路基板のはんだ材料上に配置し、樹脂材料およびはんだ材料を加熱することで、はんだ材料およびはんだバンプを介して、第１電極と第２電極とを電気的に接続するとともに、少なくとも、はんだバンプとはんだ材料との接合界面およびはんだ材料を覆うように、個々のはんだ材料の周囲に樹脂材料を配置させるとともに、回路基板上における隣接する第２電極間に、個々の樹脂材料同士の接触を防止する空間を形成する、半導体実装構造体の製造方法を提供する。
【発明の効果】
【００２３】
本発明によれば、半導体実装構造体において、バンプと接合部材との接合界面の周囲と、接合部材の周囲とを覆うように、個々の接合部材の周囲に樹脂部材が配置されていることにより、バンプと接合部材との接合界面および接合部材を、樹脂部材により確実に補強することができる。樹脂部材は、半導体と接触せず、バンプと接合部材との接合界面および接合部材を覆うように配置されているため、半導体と回路基板との間が樹脂材料により封止されているような従来の構造と比べて、半導体実装構造体のリペアを容易に行うことができる。なお、このようなリペアは、接合部材を再溶融して、バンプと第２電極との接続を解除することにより行うことができる。
【００２４】
さらに、それぞれの樹脂部材は、隣接する樹脂部材同士が接触しないように互いに離間して配置されているため、樹脂部材中に生じた微細なクラックを通して、再溶融された接合材料が毛管現象により流れ出すような場合が生じても、隣接する電極間の短絡を確実に防止することができる。
【００２５】
したがって、半導体実装構造体において、接続部の耐衝撃信頼性を高めることができるとともに、半導体実装構造体のリペア性を向上させることができる。
【図面の簡単な説明】
【００２６】
本発明のこれらの態様と特徴は、添付された図面についての好ましい実施形態に関連した次の記述から明らかになる。
【図１】本発明の第１実施形態にかかる半導体パッケージの実装構造体の断面図
【図２】本発明の第２実施形態にかかる半導体パッケージの実装構造体の製造方法（実装方法１）を示す図
【図３】本発明の第２実施形態における半導体パッケージの実装構造体の製造方法（実装方法２）を示す図
【図４】本発明の第２実施形態における半導体パッケージの実装構造体の製造方法（実装方法３）を示す図
【図５】本発明の実施例および比較例にかかる半導体パッケージの実装構造体の測定結果の示す表
【図６】本発明の実施例の半導体パッケージの実装構造体の接合部分の断面図
【発明を実施するための形態】
【００２７】
本発明の記述を続ける前に、添付図面において同じ部品については同じ参照符号を付している。
以下に、本発明にかかる実施の形態を図面に基づいて詳細に説明する。
【００２８】
（第１実施形態）
図１は、本第１実施形態における実装方法によって得られる半導体パッケージ（半導体の一例であって、半導体素子単体である場合、および半導体素子を含むパッケージとして構成される場合を含む。）１の実装構造体１０の概略部分断面図である。図１に示すように、実装構造体１０は、複数の電極２を有するＢＧＡ半導体パッケージ１と、それぞれの電極２上に形成されたはんだバンプ３と、複数の基板電極（第２電極の一例）５を有する回路基板４と、はんだバンプ３と回路基板４の基板電極５との間に介在して、はんだバンプ３と基板電極５とを電気的に接続する接合部材９と、それぞれの接合部材９の周囲に配置され、接合部材９を補強する補強樹脂（補強樹脂部材）６とを備える。
【００２９】
本第１実施形態の実装構造体１０では、はんだバンプ３は、半導体パッケージ１の電極２に固定されている。また、補強樹脂６は、接合部材９とはんだバンプ３との接合部分（接合界面）と接合部材９とを覆うように、個々の接合部材９の周囲に配置されている。さらに隣接する補強樹脂６同士は互いに接触しないように、互いに離間して配置されている。すなわち、隣接する補強樹脂６の間には、互いの接触を防止するスペースＳが設けられている。なお、このスペースＳは、一定の値に設定しても良く、また、個々の基板電極５の形成間隔に応じて個別に設定しても良い。また、補強樹脂６は、半導体パッケージ１に接触しないように配置されており、個々のはんだバンプ３の全体を覆うことなく、一部のみを覆うように配置されている。さらに、補強樹脂６は、回路基板４の基板電極５の側に向けて裾拡がり形状を有するフィレットを形成している。
【００３０】
このような構造の実装構造体１０においては、はんだバンプ３と接合部材９との接合部分（接合界面）および接合部材９を覆うように、個々の接合部材９の周囲に補強樹脂６が配置されていることにより、はんだバンプ３と接合部材９との接合部分および接合部材９自体を、補強樹脂６により確実に補強することができる。補強樹脂６は、ＢＧＡ半導体パッケージ１と接触することなく、はんだバンプ３と接合部材９との接合部分および接合部材９自体を覆うように配置されているため、ＢＧＡ半導体パッケージ１と回路基板４との間が樹脂材料により封止されているような従来の構造と比べて、実装構造体１０のリペア、すなわちＢＧＡ半導体パッケージ１のリペアを容易に行うことができる。なお、このようなリペアは、接合部材９を再溶融して、はんだバンプ３と基板電極５との接続を解除することにより行うことができる。
【００３１】
さらに、それぞれの補強樹脂６は、隣接する補強樹脂６同士が接触しないように互いに離間して配置されている、すなわち、スペースＳが設けられているため、補強樹脂６中に微細なクラックが生じ、このクラックを通して、再溶融された接合材料（例えばはんだ材料）が毛管現象により流れ出すような場合が生じても、隣接する基板電極５間などの短絡を確実に防止することができる。
【００３２】
さらに、補強樹脂６は、回路基板４側に裾拡がりとなるようなフィレットを形成して、回路基板４の基板電極５および回路基板４の表面の一部が補強樹脂６で覆われているため、熱的衝撃や機械的衝撃を受けた場合に、回路基板４の変形を抑制することができ、耐衝撃性を向上させることができる。
【００３３】
したがって、ＢＧＡ半導体パッケージ１の実装構造体１０において、接続部の耐衝撃信頼性を高めることができるとともに、ＢＧＡ半導体パッケージ１のリペア特性を向上させることができる。
【００３４】
ここで、半導体パッケージ１の実装構造体１０の構成および材料仕様などについて、さらに詳細に説明する。
【００３５】
半導体パッケージ１は、ＢＧＡ型半導体から形成されたＢＧＡ半導体パッケージ１である場合を一例として説明したが、これに限定されない。はんだバンプを有する半導体であれば良い。
【００３６】
はんだバンプ３は、例えば、スズ系合金単一またはそれら合金の混合物、例えば、Ｓｎ−Ｂｉ系、Ｓｎ−Ｉｎ系、Ｓｎ−Ｂｉ−Ｉｎ系、Ｓｎ−Ａｇ系、Ｓｎ−Ｃｕ系、Ｓｎ−Ａｇ−Ｃｕ系、Ｓｎ−Ａｇ−Ｂｉ系、Ｓｎ−Ｃｕ−Ｂｉ系、Ｓｎ−Ａｇ−Ｃｕ−Ｂｉ系、Ｓｎ−Ａｇ−Ｉｎ系、Ｓｎ−Ｃｕ−Ｉｎ系、Ｓｎ−Ａｇ−Ｃｕ−Ｉｎ系、およびＳｎ−Ａｇ−Ｃｕ−Ｂｉ−Ｉｎ系からなる群から選ばれる合金組成を用いることができる。はんだバンプ３は、Ｂｉ、Ｉｎ、Ａｇ、ＺｎおよびＣｕの群から選ばれる１種以上の元素と、Ｓｎとの組み合わせを含む合金組成を有することがより好ましい。
【００３７】
補強樹脂６は、熱硬化性樹脂であり、エポキシ樹脂、ウレタン樹脂、アクリル樹脂、ポリイミド樹脂、ポリアミド樹脂、ビスマレイミド、フェノール樹脂、ポリエステル樹脂、シリコーン樹脂、オキセタン樹脂など、様々な樹脂を含むことができる。これらは単独で用いてもよく、２種類以上を組み合わせて用いてもよい。これらのうちでは、特にエポキシ樹脂が好適である。
【００３８】
エポキシ樹脂には、ビスフェノール型エポキシ樹脂、多官能エポキシ樹脂、可撓性エポキシ樹脂、臭素化エポキシ樹脂、グリシジルエステル型エポキシ樹脂、高分子型エポキシ樹脂の群から選ばれるエポキシ樹脂も用いることができる。例えば、ビスフェノールＡ型エポキシ樹脂、ビスフェノールＦ型エポキシ樹脂、ビスフェノールＳ型エポキシ樹脂、ビフェニル型エポキシ樹脂、ナフタレン型エポキシ樹脂、フェノールノボラック型エポキシ樹脂、クレゾールノボラック型エポキシ樹脂などが好適に用いられる。これらを変性させたエポキシ樹脂も用いられる。これらは単独で用いてもよく、２種以上を組み合わせて用いてもよい。
【００３９】
上記のような熱硬化性樹脂と組み合わせて用いる硬化剤としては、チオール系化合物、変性アミン系化合物、多官能フェノール系化合物、イミダゾール系化合物、および酸無水物系化合物の群から選ばれる化合物を用いることができる。これらは単独で用いてもよく、２種以上を組み合わせて用いてもよい。硬化剤は、導電性ペーストの使用環境や用途に応じて、好適なものが選択される。
【００４０】
また、必要に応じ、粘度調整／チクソ性付与添加剤として、無機系あるいは有機系のものが使用でき、例えば、無機系であれば、シリカやアルミナなどが用いられ、有機系であれば固形のエポキシ樹脂や低分子量のアマイド、ポリエステル系、ヒマシ油の有機誘導体などが用いられる。これらは単独で用いてもよく、２種以上を組み合わせて用いてもよい。
【００４１】
なお、本第１実施形態にて用いたＢＧＡ半導体パッケージ１の大きさは、例えば、１１ｍｍ×１１ｍｍの大きさであり、はんだバンプ３は、０．５ｍｍピッチで、バンプ数は４４１個であり、回路基板４は、３ｃｍ×７ｃｍの大きさで、厚さ０．８ｍｍで、電極材質が銅で、基板材質はガラスエポキシ材ある。
【００４２】
（第２実施形態）
本第２実施形態は、本発明の１つの形態における半導体パッケージ１の実装方法、すなわち半導体パッケージ１の実装構造体１０の製造方法に関するものであり、図２、図３、および図４を用いて３つのパターンの実装方法（製造方法）１、２、３について説明する。なお、図１に示す実装構造体１０と実質的に同じ構成部材には、同じ参照番号を付してその説明を省略する。
【００４３】
（実装方法１）
まず、実装方法１について説明する。図２に示すように、回路基板４の基板電極５上に、Ｓｎと、Ｂｉ、Ｉｎ、ＡｇおよびＣｕの群から選ばれる２種もしくはそれ以上の元素との組合せからなる合金組成のはんだ材料と、未硬化状態の熱硬化性樹脂とが混ざった混合ペースト７１（すなわち、はんだ材料と熱硬化性樹脂との混合ペースト）を印刷する。その後、ＢＧＡ半導体パッケージ１の電極２上に形成されたそれぞれのはんだバンプ３と、回路基板４の基板電極５上に印刷された混合ペースト７１との位置合わせを行い、はんだバンプ３と混合ペースト７１とを接触させるように、回路基板４上にＢＧＡ半導体パッケージ１をマウントする。
【００４４】
その後、リフロー装置を用い、はんだ材料と熱硬化性樹脂が混ざった混合ペースト７１を加熱して、はんだ材料を溶融させる。混合ペースト７１に中のはんだ材料が溶融されることで、溶融したはんだ材料が、はんだバンプ３および基板電極５の表面と濡れ合う状態（金属拡散状態）となり、これにより、混合ペースト７１において、はんだ材料と熱硬化性樹脂とが分離する。分離した熱硬化性樹脂は、はんだ材料の周囲に配置される。その後、熱硬化性樹脂が熱硬化して補強樹脂６となるとともに、はんだ材料が固化して、接合部材９となって、はんだバンプ３と基板電極５とを電気的に接続する。また、補強樹脂６は、接合部材９とはんだバンプ３との接合部分および接合部材９を覆って補強する。また、それぞれの補強樹脂６が接合部材９とはんだバンプ３との接合部分および接合部材９を覆い、かつ補強樹脂６が半導体パッケージ１に接触することなく、さらに隣接する補強樹脂６同士が互いに離間するように、混合ペースト７１の印刷量を調整することが好ましい。
【００４５】
よって、実装方法１により、図１に示す第１実施形態のＢＧＡ型半導体パッケージ１の実装構造体１０を形成することができる。
【００４６】
（実装方法２）
次に、実装方法２について説明する。図３に示すように、回路基板４の基板電極５上にＳｎと、Ｂｉ、Ｉｎ、ＡｇおよびＣｕの群から選ばれる２種もしくはそれ以上の元素との組合せからなる合金組成のはんだペースト７を印刷する。次に、未硬化状態の熱硬化性樹脂８を、Ｓｎと、Ｂｉ、Ｉｎ、Ａｇ、ＺｎおよびＣｕの群から選ばれる２種もしくはそれ以上の元素との組合せからなる合金組成からなるＢＧＡ半導体パッケージ１のはんだバンプ３上に転写する。熱硬化性樹脂の転写は、樹脂をスキージで０．１〜１ｍｍ程度の均一な薄さに広げ、そこにＢＧＡ半導体パッケージ１のはんだバンプ３を載せることで行う。
【００４７】
熱硬化性樹脂８の転写量は、スキージで薄く広げた際の樹脂の薄さ、あるいは、ＢＧＡ半導体パッケージ１のはんだバンプ３を樹脂に押し付ける際の押し込み量などを制御することで調整することができる。具体的には、実装完了後に熱硬化性樹脂（すなわち補強樹脂６）が、それぞれの補強樹脂６が接合部材９とはんだバンプ３との接合部分および接合部材９を覆い、かつ補強樹脂６が半導体パッケージ１に接触することなく、さらに隣接する補強樹脂６同士が互いに離間するように、熱硬化性樹脂８の転写量の調整を行う。
【００４８】
その後、半導体パッケージ１を回路基板４へマウントし、リフロー装置を用い、はんだペースト７を溶融させてはんだ付けを行い、また同時に樹熱硬化性樹脂の硬化も完了させる。これにより、はんだペースト７が固化して接合部材９となって、はんだバンプ３と基板電極５とを電気的に接続するとともに、熱硬化性樹脂６が接合部材９の周囲に配置された補強樹脂６となって、接合部材９とはんだバンプ３との接合部分および接合部材９を覆って補強する。
【００４９】
よって、実装方法２により、図１に示す第１実施形態のＢＧＡ型半導体パッケージ１の実装構造体１０を形成することができる。
【００５０】
（実装方法３）
次に、実装方法３について説明する。図４に示すように、回路基板４の基板電極５のパッド上にのみ、はんだペースト７を印刷する。その後、未硬化状態の熱硬化性樹脂８をスクリーン印刷やディスペンサーなどで回路基板４上に供給する。供給場所ははんだペースト７の上でも、その周辺でもよく、また、回路基板４の全ての基板電極５上、あるいは、回路基板４における中央部や四隅など、一部の基板電極５の周囲でもよい。熱硬化性樹脂８の供給量は、実装完了後に熱硬化性樹脂８（すなわち補強樹脂６）が、それぞれの補強樹脂６が接合部材９とはんだバンプ３との接合部分および接合部材９を覆い、かつ補強樹脂６が半導体パッケージ１に接触することなく、さらに隣接する補強樹脂６同士が互いに離間するように、調整する。このような熱硬化性樹脂８の供給量の調整に加えて、図４に示すように、それぞれの基板電極５の間における回路基板４上に突起部材４ａを設けても良い。このように突起部材４ａを設けることにより、実装完了後に、回路基板４と補強樹脂６との接合強度を向上させながら、隣接する補強樹脂６同士を確実に離間させることができる。なお、隣接する熱硬化性樹脂７間にスペースＳを設けることができれば、このように突起部材４ａを設けるような場合に代えて、他の様々な手段を採用しても良い。
【００５１】
その後、ＢＧＡ半導体パッケージ１を回路基板４へマウントし、リフロー装置を用い、はんだペースト７を溶融させてはんだ付けを行い、また同時に樹熱硬化性樹脂の硬化も完了させる。これにより、はんだペースト７が固化して接合部材９となって、はんだバンプ３と基板電極５とを電気的に接続するとともに、熱硬化性樹脂６が接合部材９の周囲に配置された補強樹脂６となって、接合部材９とはんだバンプ３との接合部分および接合部材９を覆って補強する。
【００５２】
よって、実装方法３により、図１に示す第１実施形態のＢＧＡ型半導体パッケージ１の実装構造体１０を形成することができる。
【００５３】
また、はんだペーストに用いられるはんだ材料の融点は、はんだバンプに用いられるはんだ材料の融点よりも１０℃以上小さい温度であることが好ましく、さらに２０℃以上小さい温度とすることがより好ましい。このように融点差を設けることで、半導体実装構造体１０をリペアする際に、接合部材９を再加熱して容易に溶融させることができ、リペア性を向上させることができる。このような融点差を考慮すれば、はんだバンプが、合金組成：Ｓｎ−Ａｇ−Ｃｕ系のはんだ材料により形成され、接合部材が、合金組成：Ｓｎ−Ｂｉ系のはんだ材料により形成されていることが望ましい。
【００５４】
（実施例）
本発明の実施例として、上述の実装方法２を用いて実装したＢＧＡ型半導体パッケージ１の実装構造体１０について、はんだペーストの種類とリフロー温度、補強樹脂の量を変化させ、耐衝撃性やリペア性への影響を調べ、図５の表にその結果を示した。図５の表としては、本発明の実装方法２を用いて実装した実装構造体１０の実施例１〜６と、比較対象となる比較例１〜４について示している。
【００５５】
はんだペースト７には、Ｓｎ５８Ｂｉはんだペースト（商品名「Ｌ２０−ＢＬＴ−５−Ｔ７Ｆ」、千住金属工業株式会社製）を用いた。
【００５６】
ＢＧＡ型の半導体パッケージ１を用い、はんだバンプ３として、ＳｎＡｇＣｕボール搭載のＤａｉｓｙ−ｃｈａｉｎ配線半導体パッケージ、熱硬化性樹脂にはビスフェノールＦ型エポキシ樹脂（商品名「エピコート８０６」、ジャパンエポキシレジン製）、硬化剤にはイミダゾール系硬化剤（商品名「キュアゾール２Ｐ４ＭＺ」、四国化成製）、粘度調整／チクソ性付与添加剤には、ヒマシ油系チクソ剤（商品名「ＴＨＩＸＣＩＮ  Ｒ」、エレメンティス・ジャパン製）を共通して使用した。
【００５７】
はんだバンプ３（ＳｎＡｇＣｕボール）の融点は２１９℃であり、はんだペースト７（Ｓｎ５８Ｂｉはんだペースト）の融点は１３８℃である。
【００５８】
はんだペースト７のリフローのための加熱温度（リフロー最高到達温度）は、はんだペースト７の融点以上であり、かつ、はんだバンプ３の融点未満の温度として、実施例および比較例に共通して、１５５℃まで加熱を行い、実装構造体を形成した。
【００５９】
また、それぞれの実施例１〜６および比較例１〜４について、補強樹脂６の添加量を変えて、実装構造体を形成した。具体的には、補強樹脂６の添加量については、実装完了後の状態において、はんだバンプ３の高さおよび接合部９の高さを含めた合計高さに対する基板電極側から濡れ上がっている補強樹脂６の高さの割合で計算し、図５の表に示す。補強樹脂６の樹脂高さの比を、実施例１〜６では、１５％〜８０％の範囲内で設定し、比較例１〜４では、０％（補強樹脂なし）、５％、１０％、１００％と設定した。
【００６０】
それぞれのＢＧＡ型半導体パッケージの実装構造体の評価は、以下のように行った。
【００６１】
耐衝撃試験として、耐落下寿命で評価した。具体的には、３０ｃｍの高さから実装構造体を落下させ、半導体パッケージにおいて、抵抗値が２０％以上上昇したら不良と判断し、不良発生までの落下回数を耐落下寿命とした。耐落下寿命として、合格、許容範囲内、不合格の三段階で評価した。
【００６２】
なお、ここで用いたＢＧＡ半導体パッケージの大きさは、１１ｍｍ×１１ｍｍサイズであり、はんだバンプ３は、０．５ｍｍピッチで、バンプ数は４４１個であり、回路基板４は、３ｃｍ×７ｃｍの大きさで、厚さ０．８ｍｍで、電極材質が銅で、基板材質はガラスエポキシ材ある。
【００６３】
リペア性として、実装構造体をホットプレートを用い、２５０℃まで温度上昇させ、３０秒後、ＢＧＡ型の半導体パッケージ１をピンセットで１０Ｎの力で引き剥がす。これにより引き剥がすことができたら、合格、できなかったものは不合格、その中間のものを許容範囲内として三段階で評価した。
【００６４】
（測定結果）
図５の表に示す測定結果において、実施例４（補強樹脂高さが５０％）と比較例３（補強樹脂高さが１００％）を対比すると、耐落下寿命では同程度の結果を得ながら、比較例３ではリペア性が著しく劣り、実施例４が良好な結果を得ている。また、実施例４（補強樹脂高さが５０％）と比較例４（補強樹脂高さが０％）を対比すると、比較例４では、耐落下寿命が著しく劣り、実施例４が良好な結果を得ている。
【００６５】
また、実施例１（補強樹脂高さが１５％）と比較例２（補強樹脂高さが１０％）を対比すると、耐落下寿命において、実施例１が４０回、比較例２が２５回と、明らかに実施例１が実用に耐えうる結果を得ていることが判る。さらに、実施例６（補強樹脂高さが８０％）と比較例３（補強樹脂高さが１００％）を対比すると、リペア性において、実施例６が実用に耐えうる結果を得ていることが判る。
【００６６】
したがって、実施例１〜６では、実用に耐えうる耐落下寿命の確保およびリペア性の向上を両立して実現することができることが判る。このような観点からは、補強樹脂高さの割合を、１５％以上、より好ましくは１５％〜８０％の範囲内に設定することが有効であると言える。すなわち、半導体パッケージ１の電極２と、回路基板４の基板電極５との間の距離Ｄに対する補強樹脂６の濡れ上がり高さＨの比率（Ｈ／Ｄ）が、１５％以上、より好ましくは１５％〜８０％の範囲内に設定することが有効であると言える。
【００６７】
また、実施例１〜６および比較例１〜４においては言及しなかったが、リフロー最高到達温度２４５℃ではんだ付けした場合、脆弱なＢｉ成分が全体に分散してしまうため、補強樹脂で覆われていない脆弱な組成が露出し、耐落下衝撃性が低下することが確認された。これに対して、実施例１〜６のように、はんだバンプを熔融させることなく、はんだペースト、すなわちＳｎＢｉのみを溶融させた場合は、Ｂｉが接合部材９全体に分散せず、回路基板４側にＳｎＢｉとして存在することになり、回路基板４側は補強樹脂６で覆われるため、脆弱な組成が露出せず、耐落下衝撃性が大きくなると考えられる。
【００６８】
よって、本発明の半導体パッケージ１の実装構造体１０の構造において、脆弱なＳｎＢｉなどの低温はんだを用いて、ＳｎＡｇＣｕはんだバンプのＢＧＡ半導体パッケージ１をはんだ付けするような場合、ＳｎＡｇＣｕはんだが溶融する温度ではんだ付けしても補強樹脂による補強効果は得られるが、ＳｎＡｇＣｕはんだが溶融しない温度ではんだ付けした方が得られる補強樹脂の補強効果は大きく、望ましい。
【００６９】
実装方法２を例として説明したが、その他の実装方法１、３でも同様の結果になる。
【００７０】
ここで、上述の実施例により得られた本発明の半導体パッケージ１の実装構造体１０における接合部分の断面図を図６に示す。
【００７１】
図６に示す実装構造体１０の実施例では、はんだバンプ３として、ＳｎＡｇＣｕ系、例えばＳｎ−３Ａｇ−０．５Ｃｕはんだバンプ（融点２１９℃）が用いられ、接合部材９は、ＳｎＢｉ系、例えばＳｎ−５８Ｂｉはんだ（融点１３８℃）により形成されている。また、補強樹脂６としては、エポキシ樹脂が用いられている。
【００７２】
図６の実装構造体１０においては、接合部材９の外周面は、ほぼ環状の湾曲凹面形状に形成され、接合部材９の湾曲凹面の外周全体に補強樹脂６が充填されることで、接合部材９が補強されている。このような補強構造を採ることで、補強樹脂６による補強効果をより有効に得ることができる。
【００７３】
なお、上記様々な実施形態のうちの任意の実施形態を適宜組み合わせることにより、それぞれの有する効果を奏するようにすることができる。
【００７４】
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【００７５】
２００８年１０月２７日に出願された日本国特許出願Ｎｏ．２００８−２７５１０９号の明細書、図面、及び特許請求の範囲の開示内容は、全体として参照されて本明細書の中に取り入れられるものである。
【産業上の利用可能性】
【００７６】
本発明のＢＧＡ半導体パッケージの実装構造体およびその製造方法は、電気／電子回路形成技術の分野において、広範な用途に使用できる。例えば、ＣＣＤ素子、フォログラム素子、チップ部品等の電子部品の接続用およびそれらを基板に接合する用途に用いることができ、これらの素子、部品、または基板を内蔵する製品、例えば、ＤＶＤ、携帯電話、ポータブルＡＶ機器、デジタルカメラ等に使用することができる。
【符号の説明】
【００７７】
１  半導体パッケージ
２  電極
３  はんだバンプ
４  回路基板
５  基板電極
６  補強樹脂
９  接合部材
１０  実装構造体
【図１】
0005557936.tif 000002
【図２】
0005557936.tif 000003
【図３】
0005557936.tif 000004
【図４】
0005557936.tif 000005
【図５】
0005557936.tif 000006
【図６】
0005557936.tif 000007